Podtech/llm-jp-corpus-v4-ja_patent huggingface dataset:
(57)【要約】【課題】    簡易軽量であれば使用中強風に耐えられず飛ばされ破壊されてしまい、強固であれば固定してしまい、移動や格納が出来ず、邪魔になる事も屡である。どちらも不具合である。【解決手段】    簡易軽量であるが使用中強風には自動的に格納がなされ、飛ばされる事はなく、破壊される事も無い。面積を有効に使用する為に、フェンスや、ブロック塀等に本体を被せ置く丈の状態で、屋根となるシートを枠骨の任意による反復運動のみで、緊張、格納、を随時行える開閉式屋根を提供する。【選択図】      図１
2007120274.tif 000002
【特許請求の範囲】
【請求項１】
屋根部となるシートの緊張から、シートの折畳み法（任意格納）迄、一連の作動を連結枠骨の反復運動のみで行う事を特徴とする開閉式屋根の機構。
【請求項２】
風力によりシートの片方が外れ、錘の重力により骨格開脚のまゝシートのみを最小限に非常格納する請求項１の開閉式屋根。
【発明の詳細な説明】
【技術分野】
【０００１】  本発明は一般家庭に於ける、車庫の屋根の格納及び、風圧対策に関する物である。
【背景技術】
【０００２】  従来、一般家庭に於ける駐車場等は、自然気象に対しての防御として、それを遮断する為に屋根を設け、更に壁を設けた駐車場が一般的であり、例外的に地下駐車場もあるが、屋根を設けた駐車場は、屋根を支える為に、支柱が必要であり、その支柱は、基礎をコンクリート等で固定し、風に対応している。
格納式屋根としては折畳みする事で駐車場の土地と土地空間を有効利用できる為の物はある。（特許文献１）。又開閉が容易で設置解体が容易に行える仮設片持ち式開閉屋根等もある。（特許文献２）。
【特許文献１】  特開平０８−１６０２２７
【特許文献２】  特開２００３−１２００７５
【発明の開示】
【発明が解決しようとする課題】
【０００３】  だが、簡易軽量であれば事前に気象状況を察知し、格納するか、移動するかをしないと、強風には対応が出来ず、簡単に破壊されてしまい、強固な物であれば工事の必要性と、移動の場合は解体をせざるを得ない。状況によっては邪魔になる事も屡である。
【課題を解決するための手段】
【０００４】  本発明の屋根は簡易軽量で解放中であっても、強風時の自動格納装置により、飛ばされて破壊する事もなく、重大工事の必要も無く、任意の格納はもちろん、移動も簡単に行う事にある。【０００５】  設置に付いては一対の取付け脚（１）を、図１で示す様に、フェンスや、ブロック等、塀の上部から被せる様に差し込み、設置する方法、脚の根端を延長し、その部分を地中に差し込み設置する方法等があり、いずれも重大工事を必要とせず、置く丈、差し込む丈で設置完了である。【０００６】  本体は格納状態で設置し、屋根として緊張を必要とする場合は、縦枠（２）を上に上げ、又格納の場合は下に戻す、この反復運動で、屋根部のシート（６）も所定方向へ開閉を繰り返す。【０００７】  移動に関しては、前記縦枠（２）を下に下げる事で格納をし、取り付脚を塀（Ａ）から抜き外す事で完了する。【０００８】  非常格納に付いては、屋根の解放中に起こる強風に対しては、吹き飛ぶ程の風力であれば当然であるが、一定以上の風力で屋根の一部が枠から外れ、所定の方向に引き寄せられて格納される。
【発明の効果】
【０００９】  本発明は設置場所として、フェンス、ブロック塀等、既存の物に本体を挟み込む様に上から被せる丈、又は、平地等の場合にも、取り付脚を差し込む丈で、重大工事を必要とせず、場合によっては邪魔になる柱が存在しないので庭を効率良く使用でき、邪魔と感じた時は簡単に格納（任意）や、移動をする事ができ、屋根が吹き飛ぶ様な強風の場合は、一瞬に自動格納され、その被害を受ける事はなく、製作コストは究めて低い。
【発明を実施するための最良の形態】
【００１０】  以下、本発明の形態の一例を詳述する。巨大風呂敷風で屋根部となるシート（６）の縦対面方向は、しわや、弛みを無くすために、一対の芯、基芯（４）と先芯（１２）で補強され、横側両端には左右対称にシート吊り孔（１５）が設けてあり、先端に少なくともシートの重さ以上の錘（９）が装着された紐（７）が吊り孔、基芯（４）を回動し、根端はシートと共に先芯（１２）の左右にそれぞれ固着されている。その先芯（１２）の両端には掛け具（１３）が設けられ、縦枠（２）の先端から横に接合された横枠（８）にその掛け具を掛けて本体と接合し、一方の基芯（４）は縦枠（３）の根端に横枠として直接固定され、任意の格納は、基芯（４）先芯（１２）間の開閉であり、それと接合された縦枠（２）の反復運動で行われ、紐の緊張は先端に装着された錘の自重で常に一方向に負荷がかゝり、格納の際に錘は紐を介し、吊り孔（１５）、基芯（４）を回動して下方に垂れ下がり、緊張時には上方に、縦枠（２）の開閉と共に上下する。
縦枠（２）をストッパー（１４）で停止する事で緊張を保ち、ストッパーから外し下へ移動する事で先芯（１２）は基芯（４）の方向へ閉じてシートは押し付けられる様に順序良く折畳まれ、任意の格納を完了する。【００１１】  緊張中、強風による破壊を防ぐための非常格納に関しては、屋根部シート（６）が飛ばされる程の風力であれば先芯（１２）の両端の掛け具（１３）が横枠（８）から外れ、止めを失ったシートは錘の重量で一瞬に基芯（４）の方向へ引き寄せられ、枠は解放状態のまゝシートのみが折畳まれる。【００１２】  掛け具の爪の長さや、錘の重量の大小で風圧に対する抵抗時間は異なり、その調整は自在である。又、掛け具の代用としてマジックテープや磁石等も可能である。更には錘の代用としてゴムや、バネ等も有効であり、掛け具の外れる部分にマイクロスイッチ等を設け、先芯が外れたらスイッチＯＮで、モーター等により、紐、及びシートを引き寄せる方法も可能である。この機構は、例として片持ちであるが、同じ機構を背中合わせに設ければ、両持ち、両開きになり、地面にパイプ（１１）等を埋めこみ、取付け脚（１）を差し込み設置で、取付け脚を中心に両開きとなり、負荷も、前後、左右対称となり、屋根面積は拡大する。
【図面の簡単な説明】
【００１３】
【図１】  本発明の本体の緊張、格納の中間の斜視図である。
【図２】  本発明の緊張時の側面図である。
【図３】  本発明の格納時の枠骨部のみの側面図である。
【図４】  本発明の格納時のシート及び紐部の側面図である。
【図５】  本発明の両開き状態の緊張時の側面図である。
【符号の説明】
【００１４】  １・・取付け脚、２・・縦枠、３・・縦枠、４・・基芯、５・・ヒンジ、６・・シート、７・・紐、８・・横枠、９・・錘、１０・・地面、１１・・パイプ、１２・・先芯、１３・・掛具、１４・・ストッパー、１５・・吊り孔、Ａ・・塀、
【図１】
2007120274.tif 000003
【図２】
2007120274.tif 000004
【図３】
2007120274.tif 000005
【図４】
2007120274.tif 000006
【図５】
2007120274.tif 000007
(57)【要約】【課題】水切りゴミ袋を装着して台所排水口かごを使用したときに付着する汚れ、ぬめりを防止することによって排水をスムーズにし、清潔さを保つ器具を提供する。【解決手段】上部環体１と下部環体２の間に支軸３を設け、上部環体１に続く、直径が小さくなっていく螺旋４を下方に向けて形成したことを特徴とする。【選択図】図１
2007120278.tif 000002
【特許請求の範囲】
【請求項１】
上部環体１と下部環体２の間に支軸３を設け、上部環体１に続く、直径が小さくなっていく螺旋４を下方に向けて形成した器具であり、台所排水口かご５の中に据え置くことにより、水切りゴミ袋６装着時における台所排水口かごの汚れ、ぬめりを防止する器具。
【発明の詳細な説明】
【技術分野】
【０００１】  本発明は、台所排水口かごに水切りゴミ袋を装着して使用した時に付着する汚れ、ぬめりを防止して、排水をスムーズにする為の器具に関するものである。
【背景技術】
【０００２】  従来、水切りゴミ袋を使用する場合、台所排水口かごの内側に水切りゴミ袋が直接当たるようにセットしていた。
【発明の開示】
【発明が解決しようとする課題】
【０００３】  これには、次のような欠点があった。
（イ）水切りゴミ袋と台所排水口かごの密着による汚れ、ぬめりが発生して不衛生であった。
（ロ）発生した汚れ、ぬめりにより排水が困難になり、汚水が流し台にあふれて不衛生であった。
（ハ）発生した汚れ、ぬめりの付着した台所排水口かごの掃除は不快であるとともに、付着した汚れを排水口に流さないように気をつけて取り除かなければならないなど、煩わしかった。
（ニ）長時間の使用を経過せずにして、汚れ、ぬめりが付着する為、水切りゴミ袋の交換を頻繁にしなくてはならず、不経済であった。【０００４】  本発明は、このような問題を解決しようとするものであり、水切りゴミ袋と台所排水口かごの密着を防ぐことを目的とするものである。
【課題を解決するための手段】
【０００５】  本発明は、上記目的を達成するために、図５、図６、図７に示すように水切りゴミ袋５を装着する前に台所排水口かごの中に据え置いて使用する器具である。【０００６】  上記の構成は次の通りである。上部環体１と下部環体２の間に支軸３を設ける。上部環体１に続く、直径が小さくなっていく螺旋４を下方に向けて形成する。【０００７】  上記の課題解決手段による作用は次の通りである。図７によるように台所排水口かご５の中に本発明を据え置き、その上から水切りゴミ袋６を装着することにより、水切りゴミ袋６と台所排水口かご５との間に空間ができ、互いの密着を防止できる。
【発明の効果】
【０００８】  本発明を使用することにより、台所排水口かごに汚れ、ぬめりが付着せず、排水がスムーズに行われるようになる。台所排水口かごの清掃が楽に行えるようになる。水切りゴミ袋の交換期間が長くなり、経済的且つ資源の節約にもなる。【０００９】  また、本発明は台所排水口かごの中に据え置くという設置方法による為、フォークなど鋭利なものを誤って流してしまって水切りゴミ袋が破損した場合でも、排水口にごみが流れる心配がない。【００１０】  本発明の構成は、螺旋の下方の直径が小さくなっている為、溜まったごみを取り出し易い。
【発明を実施するための最良の形態】
【００１１】  ステンレス線や銅線など線状のものを組み合わせて形成する。上部環体１と下部環体２の間に支軸３を設ける。上部環体１と下部環体２は、台所排水口かご５の側部から離れるように台所排水口かご５の直径より小さく形成する。支軸３の高さは、台所排水口かご５の深さに収まるように形成する。上部環体１に続く、直径が小さくなっていく螺旋４を下方に向けて形成する。螺旋４の下側先端は、下部環体２より高い位置になるように形成して、台所排水口かご５に触れないようにする。【００１２】  螺旋４を形成するにあたっては、本発明を使用して水切りゴミ袋６を装着したときに、水切りゴミ袋６が螺旋４の間から出て台所排水口かご５に触れないようにする為、螺旋４の上下間の距離は広過ぎないようにし、螺旋４の最下部の直径は大き過ぎないようにする。また、螺旋４の直径は、図１のように高い位置から変化を付けても良いし、図４のように低い位置から変化を付けても良い。
【図面の簡単な説明】
【００１３】
【図１】本発明の正面図
【図２】本発明の側面図
【図３】本発明の平面図
【図４】本発明の正面図
【図５】本発明の実施例の正面図
【図６】本発明の実施例の平面図
【図７】本発明の実施例の断面図
【符号の説明】
【００１４】  １  上部環体
２  下部環体
３  支軸
４  螺旋
５  台所排水口かご
６  水切りゴミ袋
【図１】
2007120278.tif 000003
【図２】
2007120278.tif 000004
【図３】
2007120278.tif 000005
【図４】
2007120278.tif 000006
【図５】
2007120278.tif 000007
【図６】
2007120278.tif 000008
【図７】
2007120278.tif 000009
(57)【要約】      （修正有）【課題】アスファルトの透水性舗装に於いてその路側に設置して降雨水を集排水する合成樹脂立体三次元網状排水パイプは施工時に伸び縮みと曲げ等による折損破断に問題があった。【解決手段】アスファルトの透水性舗装に施工する排水パイプの合成樹脂立体三次元網状パイプに於いて製造時にその構成する網状体の線径より太さが１．５倍から５倍の直線状の合成樹脂條２本をその左右に骨として一体成型する事により伸び縮みと破断防止対策として、その寸法安定化と上下方向には自由に曲げられる排水材とする事で課題に対応する。【選択図】図１
2007120272.tif 000002
【特許請求の範囲】
溶融合成樹脂線條が相互に絡み合って融着した立体三次元網状パイプよりなるアスファルト透水性舗装の排水材に於いてその施工時における伸び縮み等のない曲げ易く且寸法安定性のある排水材を得るためその構成する網状体の線径よりも１．５倍から５倍の直線状溶融條を成型時に添加溶着してなる排水材。
【発明の詳細な説明】
【技術の分野】
【０００１】  本発明は溶融合成樹脂線條が相互に絡み合って融着した立体網状パイプによるアスファルト透水性舗装における排水材に関する。
【背景技術】
【０００２】  アスファルト等で舗装された路面は降雨の際に路面の滞水は通行の障害であり又車等の通行により飛散して他に被害を及ぼす等の問題がある。単粒砕石とアスファルトを溶融混合して舗装し、雨水を横断方向に設けられた勾配により路側の側溝方向に舗装材の空隙を流れこの雨水は路側の舗装アスファルト内に設置した本願等の排水材にて集水して所定の間隔に設置された集水桝で排除するものである。【０００３】  この種の排水管としては金属螺旋状管、プラスチック穴あき管、編みこみ管、プラスチック線條立体網状溶着管等がありそれぞれには長所短所等がありプラスチック線條の立体網状溶着管に於いては施工時に強く引張ると伸びて破断するとか又小さく曲げると折れて破断する等の問題があった。（特開２００５−１０５７９６）
【発明が解決しようとする課題とその手段】
【０００４】  溶融合成樹脂線條の立体網状パイプ  特開２００５−１０５７９６等に於ける排水材は施工の際の引張りにより伸びたり破断したりする事と小さい角度に曲げると折れて破断する等の問題があった。即ちスプリングの様な長所と短所を併せ持つものであった。この伸びと縮みを無くし且施工時の路面等の不陸、凹凸にも対応出来るよう製造時にその左右に直線條の溶融体を成型時に添加して一体成型した排水材にて課題を解決するものである。この排水材の製造に於いては三次元立体網状の溶融線條はノズルより押出す速度は早くして引取り速度を遅く引取る事によりどくろ状に集積される。一方添加する直條溶融條は遅い速度で添加一体化され冷却固化して成型される。したがってこの網状体の骨として添加される溶融條とこれ等を引取り冷却固化する速度の３条件を変える事により多様な伸び縮みのない寸法安定性にすぐれ且施工時に曲げられる排水材を得る。
【発明実施の形態】
【０００５】  以下図面を用いて本願発明の実施形態を説明する。
【図１】
１  溶融押出しダイス
２  溶融プラスチック線條
３  内径を規制する棒
４  冷却水
５  外径規制管
６  引取りロール
７  添加溶融線條
【図２】
８  製品の排水材
【図３】
９  製品の曲げ状態
【図１】
2007120272.tif 000003
【図２】
2007120272.tif 000004
【図３】
2007120272.tif 000005
【手続補正書】
【提出日】平成18年5月11日(2006.5.11)
【手続補正１】
【補正対象書類名】明細書
【補正対象項目名】全文
【補正方法】変更
【補正の内容】
【発明の詳細な説明】
【技術の分野】
【０００１】  本発明は合成樹脂線状が相互に絡み合って融着した立体網状排水材による、排水性舗装の施工時の引張りよる破断に対する改良と一方向には自由に曲げても破断しない排水材の提供に関する。
【背景技術】
【０００２】  アスファルト等で舗装された通常の路面では、降雨時に路面は不透水のため滞水による通行障害と車等の走行による滞水の飛散等の問題があった。近年この問題に対して通称排水性舗装の路面が主要な道路の交差点や高速道路等で施工されてきている。これは２ｃｍ〜３ｃｍ径の単粒砕石とアスファルトを加熱混練して道路のコンクリート基盤の上層に３ｃｍ〜１０ｃｍの厚さに舗装し、降雨水を単粒砕石の空隙に集めコンクリート基盤の傾斜にて路盤の両側に導水し、その路側に本願排水材を道路延長方向に設置して適宜の間隔で設けられた排水材より降雨水を排水するものである。本願排水材、特開２００５−１０５７９６等に於いては、排水舗装の厚さや道路幅等によりその降水量を考慮して、その太さや線條径等には施工に対応して多くの種別がある。【０００３】  この種の排水材としては金属螺旋管、プラスチック穴あき管、編みこみ管、プラスチック立体網状管（本願）等があり、それぞれには長所短所がありプラスチック立体網状管に於いては施工時に強く引張ると伸びて破断するとか、強く曲げると折れて破断する等の問題があった。【０００４】  合成樹脂線條立体網状排水材、特開２００５−１０５７９６等に於いては施工時の引張りにより伸びたり破断したり、又小さく曲げると折れて破断する問題を解決する為、合成樹脂線條の溶融成型時にその構成する立体網状体線條の３〜１０倍太い径の直線溶融線條を特殊な押出し成型法（通常ノズル穴径を太くすると合成樹脂は太径から押出しされ、細径は押出しされない）により三次元立体網状の溶融線條の細径は押出し速度を早くしてどくろ状に集積させ、添加される左右の２本の太径の直線溶融線條は速度を遅く押出して一体化して成型される。これにより立体網状体の骨として添加された直線溶融線條により伸び縮みのない寸法安定性が付与され、又、施工時に路盤の凹凸に対応して曲げられる事により本願排水材により安定した施工ができる。
【発明実施の形態】
【０００５】  溶融合成樹脂を細孔径と太孔径のノズルを設置したダイス▲１▼より押出し、溶融樹脂を自然降下させ、降下速度より遅く引取りロール▲６▼にて冷却水中に引取る事により溶融線條をどくろ状に褶曲させ立体網状に成型する。外径は▲５▼、内径は▲３▼の規制菅により形状を整える。▲７▼の太径の骨にてこの立体網状体の伸縮と破断を防止する。
【図面の簡単な説明】
【０００６】
【図１】  ダイスより押出された溶融線條を冷却水中に降下させ、押出し速度より遅く引取る事により褶曲させた線條と寸法安定の為の太い押出線條の直線との一体化された本願排水材を引取りロールにて冷却水中に引取り固化成形する。
【図２】  本願の細線條と太線條により一体化された排水材。
【図３】  本願排水材の曲げた状態を示す。
【符号の説明】
【０００７】〔図１〕
１．  溶融押出しダイス
２．  溶融プラスチック線條
３．  内径を規制する棒
４．  冷却水
５．  外径規制管
６．  引取りロール
７．  添加溶融線條
〔図２〕
８．  製品の排水材
〔図３〕
９．  製品の曲げ状態
【手続補正２】
【補正対象書類名】図面
【補正対象項目名】全図
【補正方法】変更
【補正の内容】
【図１】
2007120272.tif 000006
【図２】
2007120272.tif 000007
【図３】
2007120272.tif 000008
(57)【要約】【課題】  鉄筋コンクリートの建造物の鉄筋のかぶりを確保するスペーサーにおいて、安価で且つ施工中に転落する事のないものを提供する。【解決手段】  発錆の回避を目的として要所にステンレスの線材を使用することで従来の鋼線とコンクリートを組み合わせているスペーサーのような養生期間を必要とせず、結果生産性が向上し製造原価を低下せしめる。また鉄筋に堅固に定着させることのできる特徴的形状に加工し、施工中に転落することがないスペーサーを開発する。【選択図】        図１
2007120266.tif 000002
【特許請求の範囲】
【請求項１】
鉄筋コンクリートの建造物の鉄筋のかぶりを確保するためのスペーサーであって要所部分をステンレス製にすることでその防錆を図り、施工中に鉄筋から転落する事のない様鉄筋に堅固に定着する部分を有する極めて特徴的形状を有する建築用金物。
【発明の詳細な説明】
【技術分野】
【０００１】  本発明は、鉄筋コンクリート造の建造物のスペーサーに関する。
鉄筋コンクリート造の建造物において使用する鉄筋のかぶりは躯体の強度及び鉄筋自身の防錆の観点から極めて重要な要素である。このかぶりを確保するためのスペーサーの材質には合成樹脂、コンクリート、加工鋼線及びセラミックスなど様々であり、またその形状も多様なものがあるが、擁壁や高架橋といった所謂土木の建造物の場合は一般建築物と異なりより苛酷な環境下におかれるため、これに使用されるスペーサーの材質や形状は限られたものとなっている。
【背景技術】
【０００２】  従来、土木の鉄筋コンクリート建造物に使用されるスペーサーは上述の如くより高品位のものが求められ、それ故その価格も一般建築物に使用されるスペーサーの価格よりかなり高くならざるを得ない。しかしながら建設業界からは昨今のデフレ傾向も手伝って品質を落とすことなくより安価なものが求められている。
【発明の開示】
【発明が解決しようとする課題】
【０００３】  一般に合成樹脂製や鋼線を加工しただけのスペーサーは異物ないしは高発錆性と見做され、土木建造物用のスペーサーとしては基本的に採用されない。そこで土木建造物に供せられる壁や柱用のスペーサーの主流は比較的細いばね鋼線を含む硬鋼線とコンクリートやセラミックスなどを組み合わせたものや硬鋼線の代わりに薄いばね鋼板を使用する形態をとっている。それ故、硬鋼線に定着させるコンクリートの養生の必要などからどうしても生産性が悪く、その価格を押し上げている。またスペーサーを躯体鉄筋に取付けた後の固定状態も充分とはいえず、しばしば生コンクリートの打設前に転落することがある。
【課題を解決するための手段】
【０００４】  本発明者は鋭意研究した結果、極めて安価で且つ躯体鉄筋に堅固に固定することのできる土木建造物対応の壁・柱用スペーサーを開発した。【０００５】  以下、本発明を図に従い、詳しく説明する。図１は、本発明による金物のイメージ図である。このうち（ａ）は鉄筋のかぶりが比較的小さい場合に対応したものである。ここで符号１は外側の鉄筋に定着する部分、符号２は内側の鉄筋に定着する部分、符号３はスペーサーの取付けが完了したとき弾性力を発揮して転落することなく堅固に該鉄筋に納まる効果を有する部分、また符号４は鉄筋のかぶりを確保する部分であり、したがってその先端の符号５の部分は型枠に接するので型枠解体後に外気に触れ発錆の危険性があるためステンレスの線材を使用していて上述の鋼線部分と符号６でスポット溶接されている。また（ｂ）は同じくかぶりが比較的大きい場合に対応したものである。ここで符号７は配力筋（横筋）に定着する部分、符号８はばね鋼板をプレス加工したもので主筋（縦筋）に定着する部分でありスペーサー全体を転落することのない様、該鉄筋に固着させている。また符号９は鉄筋のかぶりを確保する部分であり、このスペーサーは符号８を除きステンレス製である。【０００６】  図２は上述の本発明によるスペーサーを鉄筋に取り付けたときのイメージ図である。ここで（ｃ）は前述の（ａ）を、また（ｄ）は同じく（ｂ）をそれぞれ示している。ここで符号１０は主筋（縦筋）また符号１１は配力筋（横筋）である。
【発明の効果】
【０００７】  以上、本発明による上述のごときのスペーサー（ａ）及び（ｂ）は鋼線類をプレス加工したり一部スポット溶接するだけで造られているため従来のコンクリートを使用したスペーサーのように養生する必要もなく、極めて生産性がよいので安価で市場に提供できる。
また、コンクリートの打設完了までの作業において絶対に該鉄筋から転落することのない形状に造られているため、鉄筋コンクリートの建造物における重要な要素のひとつである鉄筋のかぶりに対して高い信頼性を与える事ができる。加えて要所がステンレス製であるため発錆の問題も生じないのである。
【実施例】
【０００８】  本発明品の上述（ａ）については、壁厚２５０ｍｍでＤ１３の鉄筋をピッチ１５０ｍｍでダブル配筋された高さ３ｍの擁壁の建築現場において縦方向に２個、横方向に３個の計６を取付けて実験した。その結果、試験した６個すべてのスペーサーが鉄筋から転落してないことが型枠解体後に確認された。
本発明品の上述（ｂ）については、壁厚３５０ｍｍでＤ１６の鉄筋をピッチ１５０ｍｍでダブル配筋された高さ５ｍの擁壁の建築現場において縦方向に３個、横方向に３個の計９を取付けて実験した。その結果、やはり試験した９個すべてのスペーサーが鉄筋から転落してないことが確認された。
【図面の簡単な説明】
【０００９】
【図１】  （ａ）、（ｂ）とも本発明品のイメージ図。
【図２】  （ｃ）、（ｄ）とも本発明を鉄筋に取付けたときのイメージ図。
【符号の説明】
【００１０】    １，外側の鉄筋に定着する部分
２，内側の鉄筋に定着する部分
３，弾性力を発揮する部分
４，かぶりを確保する部分
５，型枠に接する部分
６，溶接箇所
７，配力筋に定着する部分
８，主筋に定着する部分
９，かぶりを確保する部分
１０，主筋
１１，配力筋
【図１】
2007120266.tif 000003
【図２】
2007120266.tif 000004
(57)【要約】【課題】壁と梁又は壁と柱の間を定着させるための差し筋を地組みの梁筋を型枠内に落し込む前は安定的に保持し、尚且つ落し込んだ後は滑らかに梁筋内へ送り込むことのできる単子の開発。【解決手段】一方は壁の横筋に嵌め込まれて堅固に固定される部分を有し、他方は定着用の差し筋を緩慢なく保持することのできる部分を有する合成樹脂製の単子を開発する。【選択図】図１
2007120267.tif 000002
【特許請求の範囲】
【請求項１】
鉄筋コンクリート造の鉄筋工事における配筋の順序の関係で主要部分の配筋が終了した後に差し筋を配する必要がしばしば生じるが、主筋や配力筋などの主要部分が既に配されているため、この作業のために許された空隙は極めて小さく本作業を難しいものにしているが、この僅かな空隙を介して壁と梁又は壁と柱を定着させるための差し筋を効率的に保持することのできる極めて特徴的形状を有する合成樹脂製の単子。
【発明の詳細な説明】
【技術分野】
【０００１】  本発明は、鉄筋コンクリート造の建築物の鉄筋工事に際して使用する製品に関する。
鉄筋コンクリート造の鉄筋工事においたは、配筋の順序の関係で主要部分の配筋が終了した後に躯体間の定着を目的とした差し筋を配する必要がしばしば生じる。特に地組みの梁筋や柱筋を型枠に落とし込む工法においては、これらの鉄筋と壁筋との定着を目的とした差し筋は既に配置が完了している壁の横筋に予め懸垂させておいたものをやはり設置が完了している型枠の僅かな隙間を介して仕口（型枠の開口部）に向けて送り出される。
本発明は、定着用の差し筋を壁の横筋に予め懸垂させておくための単子に関する。
【背景技術】
【０００２】  従来、上述の如きの主要部分の鉄筋の配置が完了した後の差し筋の配置は、先行して配される壁筋に結束線などの細い針金をこの壁筋と定着用の該差し筋を合わせた周長より若干大きい周長の楕円状のリングにしたものを２個設けて、この２個のリングに該差し筋を通し吊り下げ状態で持たせ置く。この際、差し筋の位置は地組みの梁筋や柱筋を型枠に落し込んでも当たらない様に後退させておく。
その後、各鉄筋の配置が完了した後に型枠や鉄筋等の僅かな隙間から適当な長さの棒で該差し筋の一端を叩きながら押し出し、他端を所定の長さまで送り出している。
【発明の開示】
【発明が解決しようとする課題】
【０００３】  上述の如きの楕円状の差し筋吊り下げリングにおいては、最終的に該差し筋の一端を叩いて送り出す必要から２個のリング内に緩めに納まっている。しかしながらこの定着用の差し筋は、これを保持する壁筋と同じその表面に凹凸のある異形鉄筋であるため梁筋ないしは柱筋側へ送り出すべく叩いても滑らかには移動せず、上述リングに引っ掛かったり逆に急に飛び出したりして所定の位置に配置するのに非常に苦労している。
【課題を解決するための手段】
【０００４】  本発明者は鋭意研究した結果、定着用の差し筋を懸垂する壁筋には堅固に固着する形状を有し、且つその反対側には該差し筋を緩みなく銜えつつも該差し筋を送り出す際にはさほど抵抗なく滑ることのできる形状を有する合成樹脂製の単子を発明することに成功した。【０００５】  以下、本発明を図に従い詳しく説明する。図１は、本発明による定着用差し筋を保持する合成樹脂製の単子のイメージ図である。ここで符号１は先行して配されている壁の横筋が納まる部分、符号２は符号１の部分に納まったこの横筋を緊張的に銜え、本発明品全体を堅固に固定する部分、符号３は定着用の差し筋が納まる部分、また符号４はこの差し筋を緩みなく保持し且つこの差し筋がその軸方向から押されたときには滑らかに移動できる様にその内接円の径が使用する差し筋の外径より若干小さくなっていて鱗片状に加工された部分である。
図２は上述の如く本発明品の一方が壁の横筋に固定され他方が定着用の差し筋を銜えた状態のイメージ図である。ここで符号５は本発明品、符号６は壁の縦筋、符号７は壁の横筋、符号８は結束線、また符号９は定着用の差し筋である。【０００６】  図３は本発明による単子を壁と梁の定着に使用したときの状態を梁の主筋方向から見たイメージ図である。ここで符号１０はスラブ底面の型枠、符号１１は梁側面の型枠、符号１２は梁底面の型枠、また符号１３はスラブの天端を示している。この図から明らかなように地組みの梁筋が梁の型枠内に落とし込まれる前なので符号５の本発明品２個に保持された符号９の定着用差し筋は梁側面の型枠より後退して仕口（交差部の型枠開口部）の範囲内に待機している。この図では簡単のために定着用差し筋が２段で２本使用されているが、実際には躯体交差部の配筋状態により１つの仕口当り数本の定着用差し筋が使用される。【０００７】  図４は梁の型枠内に地組みの梁筋が落とし込まれ、その後定着用の２本の差し筋が梁筋内に送り込まれた状態を示すイメージ図である。ここで符号１４は梁筋の主筋、符号１５は同じくスターラップ、また符号１６は同じく腹筋である。
【発明の効果】
【０００８】  以上、本発明による定着用差し筋保持単子はその一方で壁の横筋に堅固に固定され他方で緩慢なく定着用差し筋を保持することができるため地組みの梁筋が型枠内に落とし込まれる前の配筋から結束に至る一連の配筋作業においては安定的に壁の横筋下に納まる一方、この梁筋が型枠内に落とし込まれた後の該差し筋の送り込みにおいては、適度の抵抗を有しイメージどおりの感触で梁筋内に移動できる。
【実施例】
【０００９】  壁と梁及び壁と柱の交差部を想定し、縦筋横筋ともにＤ１３の鉄筋を用いて鉄筋のピッチ１５０ｍｍ、壁厚２００ｍｍ、かぶり４０ｍｍのダブル配筋の壁筋を高さ１ｍ、長さ１．８ｍで組み、これをこれと同寸法の型枠で囲み、仕口相当部分と上面だけは開放した実験装置を作った。
その結果、横筋は６段になり最下段の横筋は実現場では対応ここまで厳しくする必要はないが型枠上端より９００ｍｍの深さに配された。本実験ではこの６段すべての横筋のそれぞれに前述の本発明品の鱗片状部分の内接円の径を１２ｍｍにした単子２個を使用して長さ８００ｍｍのＤ１３の定着用の差し筋を懸垂させた。
上記の如くに設置した型枠の上面開放部より先端をＬ字形に曲げた長さ１ｍの鉄筋棒を用いて６段すべての定着用差し筋の送り出し試験をおこなった。その結果、型枠上部の差し筋は勿論最深部に配された差し筋においても何ら問題なく送り出す事ができた。
【図面の簡単な説明】
【００１０】
【図１】  本発明による単子のイメージ図。
【図２】  本発明による単子を使用した状態のイメージ図。
【図３】  地組みの梁筋を落し込む前の本発明による単子を使用した状態のイメージ図。
【図４】  地組みの梁筋を落し込んだ後の本発明による単子を使用した状態のイメージ図。
【符号の説明】
【００１１】      １，壁の横筋が納まる部分
２，壁の横筋を銜える部分
３，定着用差し筋が納まる部分
４，定着用差し筋を緩慢なく保持する部分
５，本発明による単子
６，壁の縦筋
７，壁の横筋
８，結束線
９，定着用の差し筋
１０，スラブ底面の型枠
１１，梁側面の型枠
１２，梁底面の型枠
１３，スラブの天端
１４，梁の主筋
１５，スターラップ
１６，腹筋
【図１】
2007120267.tif 000003
【図２】
2007120267.tif 000004
【図３】
2007120267.tif 000005
【図４】
2007120267.tif 000006
(57)【要約】【課題】  既存の階段室型共同住宅において、段差解消工事を行なう際に、住民の通行の妨げにならず共用廊下やエレベーターを設置し、また階段スペースの有効利用を行なう工法である。【解決手段】  既存共同住宅に隣接して共用廊下、エレベーター、階段等から構成される共用廊下棟を構築し、新設した共用廊下棟の最上階の廊下から既存建物最上階階段の片側半分に共用通路を渡して、住民の通行経路を確保し、その後直下の階段を撤去し、下階の工事に同様に移行していく。さらに生じた空間をパイプスペース、小型エレベーターの設置、アルコーブなどに利用する。【選択図】    図２
2007120270.tif 000002
【特許請求の範囲】
【請求項１】
既存の階段式共同住宅において、階段を撤去し、段差無く廊下又はエレベーターを新たに設置する際に、住民の通行を妨げず施工する階段改良工法。
【請求項２】
撤去した階段に生じた空間を、パイプスペース、小型エレベーター、アルコーブの構築などに利用する階段室有効利用法
【発明の詳細な説明】
【技術分野】
【０００１】本発明は既存の階段室型共同住宅において、段差解消工事を行なう際に、住民の通行の妨げにならず共用廊下やエレベーター、階段を設置し、また生じた空間の有効利用を行なう工法である。
【背景技術】
【０００２】従来は、既存の階段室型共同住宅における段差解消工事には、例として特許公開文献１に開示されているものがある。
【特許公開文献１】
特許公開２００２−１３２９８
【発明の開示】
【発明が解決しようとする課題】
【０００３】特許公開２００２−１３２９８の方法では、踊り場から更に階段を外部に伸ばすため既存建物と新設廊下との距離をある程度離さなければならないという欠点があった。また、施工後不必要な階段が残る欠点があった。
共用通路を設置後、階段を撤去し、その部分にも共用通路を設置する考えもあったが、共用通路が必要以上に長く広くなり、また仮設の階段を設置するなど作業工程に無駄があった。
【課題を解決するための手段】
【０００４】この課題を解決するための請求項１の発明は、まず既存共同住宅に隣接して共用廊下、エレベーター、階段等から構成される共用廊下棟を構築し、共用廊下棟の最上階の廊下から既存建物最上階階段の片側半分に共用通路を渡して、住民の通行経路を確保し、その後直下の階段を撤去し、下階の工事に同様に移行していくので、無駄な階段が残らず、既存建物と新設廊下棟との距離が自由に設定できる。  また既存の階段の一部で新設共用通路を支えることで工事の効率を良くし、住民の通行を妨げず、工期短縮になる。【０００５】また、請求項２の発明は共用通路を構築した後、生じた空間を、パイプスペース、小型エレベーター、アルコーブの設置などに有効利用し、空間の無駄を省くことが出来る。
【発明の効果】
【０００６】本発明により、段差解消階段改良工事が単純化し、住民の通行を妨げず、工期の短縮、工事費削減につながる。また、階段空間の有効利用になる。
【発明を実施するための最良の形態】
【０００７】図１は既存の階段室型共同住宅に隣接して、各階廊下と、それを結ぶ階段、エレベーターを含む廊下棟を新設した図である。既存建物と繋げること無く施工するので住民の通行に支障はない。【０００８】図２は新設した廊下棟の最上階の廊下から既存建物最上階階段の片側半分に共用通路を渡し、最上階住民が共用通路を使用できる状態にした図である。これにより通行経路が確保できた。【０００９】図３は新設で渡した共用通路の直下の階段を撤去した図である。これにより直下階に新たに共用通路を渡せる状態を作れる。この状態においても住民の通行に支障無い。【００１０】最上階の直下の階において０００８，０００９の工事を同様に行なう。このようにして順次下階へ移行し共用通路を渡していくことで、工事が進行し、住民は工事中でも通行できる。【００１１】図４は共用通路を施工した後の各階平面図である。【００１２】図５は共用廊下新設ではなく、エレベーターと階段を既存の各階段ごとに設置する際の工事完成図である。共用廊下棟を設置する際と同様の手順で施工出来る。【００１３】図６は新たに出来た空間にパイプスペース、小型エレベーター、アルコーブを設置した図である。これにより空間の有効利用ができる。【００１４】新設の共用通路、共用廊下、階段の構造は、鉄筋コンクリート造、ＰＣ造、鉄骨造などで施工出来る。
【産業上の利用可能性】
【００１５】本発明は既存の階段式共同住宅に、段差を無くすため、新しく共用廊下やエレベーターを設置する際、住民の通行に支障なく施工でき、また新しく生じた空間を状況に応じて有効利用できるため、産業上の利用可能性を有する。
【図面の簡単な説明】
【００１６】
【図１】既存共同住宅に隣接して各階廊下と、それを結ぶ階段、エレベーターを含む廊下棟を新設した平面図である。
【図２】廊下棟の最上階の廊下から既存建物最上階階段の片側半分に共用通路を渡した状態の斜視図である。左図が階段の降り口に、右図は吹き抜け側に共用通路を設置した図である。
【図３】新設で渡した共用通路の直下の階段を撤去した斜視図である。
【図４】新設共用廊下に各階で共用通路を渡した平面図である。
【図５】エレベーターと階段を既存の各階段ごとに設置する際の平面図である。
【図６】新たに出来た空間にパイプスペース（左図）、小型エレベーター（中央図）、アルコーブ（右図）を設置した平面図である。
【符号の説明】
【００１７】  １  既存共同住宅
２  既存共同住宅の階段
３  新設廊下棟の廊下
４  新設廊下棟の階段
５  新設廊下棟のエレベーター
６  新設共用通路
７  新たに出来た空間
８  パイプスペース
９  小型エレベーター
１０  アルコーブ
【図１】
2007120270.tif 000003
【図２】
2007120270.tif 000004
【図３】
2007120270.tif 000005
【図４】
2007120270.tif 000006
【図５】
2007120270.tif 000007
【図６】
2007120270.tif 000008
(57)【要約】      （修正有）【課題】激震〔震度７以上〕の揺れを強震（震度５）の揺れまで低減すること、及び廉価である事また既に建立されている墓石に対しても容易に施工できる免震システムの提供。【解決手段】  墓石１と墓台２の間に免震用積層ゴム支承３を挟む事により、墓石１に伝わる地震力（エネルギー）を低減。墓石１と免震装置３はケミカルアンカー用の接着剤を採用し墓石の加工に掛かる手間および費用を低減。地震前の墓石１の原点復帰を可能とするため弾性エネルギーを蓄え、また変形を抑えるために単位面積当たりの地震水平力を小さくするために積層ゴム支承３の面積を墓石底部面積より大きくし、同時に墓石の転倒にも一役を担っている。また免震取り付け鋼板は耐久性鋼板に溶融亜鉛メッキを施し、免震用装置の側面は被服ゴム８を施す。【選択図】  図１
2007120265.tif 000002
【特許請求の範囲】
【請求項１】
墓石専用の積層ゴム支承免震システムとして、墓石と墓台の間に免震用積層ゴム支承の動的特性および形状を一部変更した積層ゴム支承を挟む事により、墓石に伝わる地震力（エネルギー）を低減する事を特徴とした墓石専用免震システム。
【請求項２】
墓石の材質、特に天然石などは加工時に割れやすいため、免震用装置を取り付ける際、墓石の加工（免震棒、アンカー、ボルトなどの穴あけ）を避ける事に留意し、墓石と免震装置はケミカルアンカー用の接着剤を採用し墓石の加工に掛かる手間および費用を低減した墓石専用免震システム。
【請求項３】
墓石と墓台の間隔をあまり拡げることは出来ない。地震前の墓石の原点復帰を可能とする弾性エネルギーを蓄え、また変形を抑えるため単位面積当たりの地震水平力を小さくするため積層ゴム支承の面積を墓石底部面積より大きくした。  またこの事は墓石の転倒にも一役を担っている墓石専用免震システム。
【請求項４】
請求項１、２および３を満たし、かつ従来のビル、住宅免震より耐久限度が永い為、１００年−１５０年、免震取り付け鋼板は耐久性鋼板に溶融亜鉛メッキを施し、免震用装置の側面は被服ゴムを施した装置を特徴とする墓石専用免震システム。
【発明の詳細な説明】
【技術分野】
【０００１】  この墓石免震システムに用いる免震用積層ゴム支承はビル、木造住宅用として各種の装置が開発されている。  本発明は、墓石用に用いた初めての試みで、ビル、木造住宅用の免震性能は激震（震度７）を弱震（震度３）まで低減し建築の破損、倒壊を免れるだけでなく、居住する人たちの恐怖感を無くすことの性能を目的としているが、墓石免震は激震（震度７）を強震（震度５）程度までに低減し墓石の転倒および破損を免れる事が目的で性能は前者ほど要求されない、非免震墓石の破損、転倒の欠点を改善する技術分野である。
【背景技術】
【０００２】  従来の墓石は地震時に転倒、破損を免れるために、墓石と墓台を鉄筋で繋ぐか、また墓石の底部にダボ（突起）を設け、ダボを墓台に凹みを設けモルタルで繋ぐ形式が多く採用されてきたが、この度の広域大規模地震、阪神大震災、中越地震では大多数が転倒、破損から免れ得なかった。  また新しい試みとして墓石と墓台を棒鋼で繋ぐ方法も採られているが、墓石に高価なダイヤモンドカッターで深い穴を開けるという手間を掛けた方法を採用している例も見られる。
【発明が解決しようとする課題】
【０００３】  本発明は、既に施工された墓石また新設の墓石用に用いた初めての試みで、施工が容易で、墓石を傷つける事なく、廉価な費用で施工する方法で、墓石のずれ、転倒および破損を免れる事を目的として、非免震墓石の破損、転倒の欠点を改善する事が課題である。
【課題を解決するための手段】
【０００４】  頻繁に発生する震度３−４の地震に対して、また最近の震度５では、墓石は静力学的に余程高さ巾比が大きくない限り転倒は有り得ない。  一概に地震入力加速度と震度の関係は定義づけられないが、地震入力加速度８０−１２０ガルは、成書にある河角の式によると震度５弱に相当する。    また最近の気象庁では体感感度（震度５）を入力加速度（８０−２５０ガル）としている。  激震（震度７）を強震（震度５）までに低減するために墓石〔墓碑〕底部と墓台の間に墓石のずれ防止用に墓石底部面積と同形状の開口を設けた鋼板を、また転倒および破損を免れるために免震用積層ゴム支承を設ける事を手段とする。
【発明を実施するための最良の形態】
【０００５】  墓石に入力する地震力（エネルギー）を免震用積層ゴム支承により震度５強（２５０ガル）程度までに下げる。  また墓石に２５０ガルが例え入力したとしても、転倒をさける余力として、墓石底部に設けられた免震装置の鋼板が転倒を防ぐ方向に働く。  また墓石、免震装置、墓台をつなぐケミカルアンカーの強靭な接着力が余力として転倒を防ぐ方向に働く。
【実施例】
【０００６】  〔図１〕に示すように非免震墓石と墓台の間に墓石形状より大きめの免震用積層ゴム支承（各種減衰材と鋼板を重ねた）を挟みケミカルアンカーに用いられる強靭な接着力で墓石と墓台を結合する。
【発明の効果】
【０００７】  激震（震度７）の地震入力加速度に対し
【図２】
に示すように免震用積層ゴム支承が横に変形（スエイ）する事により震度５までに地震入力加速度を低減し墓石のずれ、転倒、および崩壊を防ぐ。  また例え２５０ガル以上が入力したとしても、転倒をさける余力として、墓石底部に設けられた免震装置の鋼板が転倒を防ぐ方向に働く。  また墓石、免震装置、墓台をつなぐケミカルアンカーの強靭な接着力が余力として転倒を防ぐ方向に働く。
【図面の簡単な説明】
【０００８】
【図１】非免震墓石と墓台の間に墓石形状より大きめの免震用積層ゴム支承（各種減衰材と鋼板を重ねた）を挟みケミカルアンカーに用いられる強靭な接着力で結合する。  また墓石と免震用積層ゴム支承の間には鋼製の墓石の形状の開口を設けた鋼板を施設する。  これは主として墓石のずれを防ぎ地震後の現状復帰に役立たせる。
【図２】激震（震度７）の地震入力加速度に対し免震用積層ゴム支承が横に変形（スエイ）する事により震度５までに地震入力加速度を低減し墓石のずれ、転倒、および崩壊を防いでいる状態を示したものである。
【符号の説明】
【０００９】１  ・・・墓石
２  ・・・墓台
３  ・・・粘弾性積層ゴム支承
４  ・・・積層ゴム支承の内部ＳＰＣＣ鋼板
５  ・・・積層ゴム支承の内部ゴム（アクリル樹脂、加硫ゴム、粘弾性ゴム他）
６  ・・・粘弾性積層ゴム支承の鋼製カバー・プレート
７  ・・・墓石ずれ止め鋼製カバー・プレート
８  ・・・側面防水、防錆ゴム
９  ・・・地震時の横ずれ
【図１】
2007120265.tif 000003
【手続補正書】
【提出日】平成18年1月5日(2006.1.5)
【手続補正１】
【補正対象書類名】図面
【補正対象項目名】全図
【補正方法】変更
【補正の内容】
【図１】
2007120265.tif 000004
【図２】
2007120265.tif 000005
(57)【要約】【課題】全自動洗濯機はすでにほとんどの家庭に普及している。一方、従来の全自動洗濯機には、排水溝の詰まりによる排水の溢れおよび階下への漏水への対策が施されていない。洗濯時に漏水が発生した場合の損害は大きいと予想される。しかし、全自動洗濯機を利用している家庭にとって、洗濯時の漏水対策のためだけに新型の全自動洗濯機を購入することは、経済的に不合理である。【解決手段】本発明は、洗濯機から独立して、漏水を感知し排水を停止する機構である。これを、既存の洗濯機に追加的に装着することにより、洗濯時の漏水を予防するものである。【選択図】    図１
2007120269.tif 000002
【特許請求の範囲】
【請求項１】
全自動洗濯機の動作中に排水口の詰まりにより水が溢れた際に、
（イ）機構の一部が水に接して形状を変え、止水球を流水路に押しだす。
（ロ）止水球は、流水路を塞ぎ、水をせき止める栓の役目を果たす。
上記により、排水を停止する機構。
【発明の詳細な説明】
【技術分野】
【０００１】本発明は、漏水を検知して排水を停止することにより、既存の全自動洗濯機をより安全に動作させるための追加的機構に関する。
【背景技術】
【０００２】全自動洗濯機はすでにほとんどの家庭に普及している。一方、従来の全自動洗濯機は、排水溝の詰まりによる排水の溢れおよび階下への漏水への対策が施されていなかった。そのため、ほとんどの家庭では、洗濯時の漏水への対策は不十分であった。
【発明の開示】
【発明が解決しようとする課題】
【０００３】洗濯時に漏水が発生した場合の損害は大きいと予想される。しかし、全自動洗濯機を利用している家庭にとって、洗濯時の漏水対策のためだけに新型の全自動洗濯機を購入することは、経済的に不合理である。
【課題を解決するための手段】
【０００４】本発明は、洗濯機から独立して、漏水を感知し排水を停止する機構である。これを、既存の洗濯機に追加的に装着することにより、洗濯時の漏水を防止するものである。
【発明の効果】
【０００４】本発明は、全自動洗濯機の運転中、漏水を自動的に発見し、かつ、洗濯機からの排水を停止する。これにより、排水が床に溢れ、床下へ漏れ、そして、階下に浸水するといった一連の漏水事故による損失を最小限にとどめる。
【発明を実施するための最良の形態】
【０００５】本発明は、現在利用されている全自動洗濯機に、独立した機構として追加的に装着する。水に接して形状を変える機構の一部には、吸水性スポンジを利用するほか、水溶紙テープによって縮んだ状態に固定したバネを利用するなどの方法がある。
【産業上の利用可能性】
【０００６】マンション、アパートなど共同住宅における漏水事故は高額となることが多い。一方、洗濯機は、すでにほとんどの家庭に普及しているため、このためだけに洗濯機を買い換えるのは、経済的に不合理である。そのため、洗濯機を買い換えることなく、排水溝の詰まりが発生した際の漏水による損失を最小限にとどめることができる本発明は有用である。
【図面の簡単な説明】
【図１】  本発明の機構を示した断面図（断面図）である。
【図２】  本発明において、水漏れが発生し排水を止めた状態の図である。
【図３】  本発明の機構の底面図である。
【図４】  吸水性スポンジの代わりに水溶紙テープとバネを利用した図である。
【図５】  吸水性スポンジの代わりに水溶紙テープとバネを利用した場合の排水を止めた状態の図である。
【符号の説明】
１は吸水性スポンジ
２はゴム製カバー
３は止水球
４は洗濯機の排水ホース
５は排水口
６は床面
７はバネ
８は水溶紙テープ
【図１】
2007120269.tif 000003
【図２】
2007120269.tif 000004
【図３】
2007120269.tif 000005
【図４】
2007120269.tif 000006
【図５】
2007120269.tif 000007
(57)【要約】【課題】本考案は、食器棚や陳列棚の観音開きや、引き戸の扉に嵌め込まれたガラス扉の木枠やスチール製の枠を覆うように強靭な格子状の枠を取付け、食器やビンなどのずれによる衝突でガラスが破損することを防ぐものである。【解決手段】本考案は、格子状の枠３に伸び縮みする棒４を収納するための棒４より太めの収納７を設け、棒４の先端にＬ字型の金具５を溶接して、その金具５の内側６には強力に接着する為の接着面を有し、観音開きや、引き戸の扉に嵌め込まれたガラス９の外側の木枠８やスチール製の枠に接着して固定する。大きな地震の揺れで食器棚１や陳列棚に入っている食器やビンが激しくずれてガラス９に衝突しそうになってもガラス９を覆うように手前に配置された格子状の枠３が防御してガラス９には衝撃が伝わらないため、ガラス９の破損防止に役立つ。【選択図】図４
2007120292.tif 000002
【特許請求の範囲】
【請求項１】
食器棚や陳列棚の観音開きや、引き戸の扉に嵌め込まれたガラスを保護する形で扉等の枠に据付けられるように、スチール製、又は同等な強度を施された格子状の枠で、上下左右に伸び縮みする棒が設けられ、棒の先がＬ字型で、ガラス扉の枠に引っ掛かる形で接着面が施されており、地震の激しい揺れで食器棚や陳列棚に入っている食器やビンが激しくずれてガラスに衝突しそうになっても格子状の枠によって衝突の力が吸収されることを特徴とする、ガラスを保護する格子状の枠。
【発明の詳細な説明】
【技術分野】
【０００１】本考案は、強度が有る格子状の枠から上下左右に伸び縮みする棒を設け、その先端には、食器棚や陳列棚の扉に嵌め込まれたガラス扉の木製やスチール製の枠を覆うように取り付け可能な金具を有する。地震の激しい揺れで食器棚に納まっていた食器やビンがずれてもガラス扉のガラスを破損から守るための格子状の枠に関するものである。
【背景技術】
【０００２】従来の食器棚や陳列棚の扉に嵌め込まれたガラスは、地震の激しい揺れで食器棚や陳列棚に納まっていた食器やビンが激しくずれてガラス扉のガラスを破壊する為、ガラスや食器又は、ビンなどが扉の外に飛び出し割れることにより、人に危害を及ぼしていた。
【発明の開示】
【発明が解決しようとする課題】
【０００３】ガラス扉の破損で人が怪我をすれば治療などの肉体的、経済的負担が大きく、また、店舗において商品が散乱した後の片付けは時間的、労働負担である。従って、格子状の枠を取り付けることによってガラス扉を食器やビンなどの衝突による破損から守ることが可能になり、前述の欠点を解決しようとするものである。
【課題を解決するための手段】
【０００４】本考案は、スチール製、又は強度の有る材質で作った格子状の枠に同じ材質で上下左右に伸び縮みする棒を設け、その棒の先にはガラス扉の木枠を押した状態で木枠に引っかかるＬ字型の金具を溶接し、その金具の内側にはガラス扉の木枠に接着する接着剤を施した。ガラス扉の木枠に接着した格子状の枠がガラス扉の木枠から外れたり、ずり落ちたりしないようにすることにより、問題点を解決している。
【発明の効果】
【０００５】上述の様に、本考案のガラスを保護する格子状の枠は、上下左右に伸び縮みする棒を設けたことにより、ガラス扉の寸法や幅が違う扉でも棒を伸び縮みすればガラス扉の木枠に貼り付けることが可能になり、ガラス扉のガラス破損防止に役立つ。
【発明を実施するための最良の形態】
【０００６】本考案は、格子状の枠の間に上下左右に伸び縮みする棒を収納する事が出来る伸び縮みする棒より太めの収納を設け、この収納から伸びた棒はガラス扉の木枠まで容易に届く様にし、伸びた棒の先にはガラス扉の木枠に固定させる為のＬ字型の金具を溶接し、その内側には接着力の強い接着剤を施し、ガラス扉の木枠に強固に接着する。格子状の枠と、ガラス扉のガラスの間には隙間が開いているため、地震の揺れで食器が格子状の枠に衝突してもその衝撃は、伸び縮みする棒からＬ字型の金具に伝わってガラス扉の木枠によって吸収されるのでガラスの破損を防ぐことが可能となる。
【実施例】
【０００７】以下、添付図面に従って一実施例を説明する。格子状の枠３には伸び縮みする棒４を収納する為の棒４より太めの収納７を設け、収納７から伸びる棒４の先端にＬ字型の金具５を、縦、横の４面にそれぞれをまとめて溶接する、縦、横の４面それぞれのＬ字型の金具５は１面ずつ自由に伸び縮みし、金具５の内側６には強力に接着するための接着面を施す、観音開きや、引き戸の扉に嵌め込まれたガラス９の外側の木枠８やスチール製の枠に金具５の内側６を接着して固定する。ガラス扉２の内側に固定された格子状の枠３とガラス９の間には隙間が有る為、大きな地震の揺れで食器棚１や陳列棚に入っている食器やビンが激しくずれてガラス９に衝突しそうになってもガラス９を覆うようにガラス９の手前に配置された格子状の枠３に衝突する。その衝撃は棒４を伝わってＬ字型の金具５が接着している木枠８に吸収される為ガラス９には衝撃が伝わらない、よってガラス９の破損防止に役立つ。
【図面の簡単な説明】
【０００８】
【図１】食器棚の図である。
【図２】本考案のガラスを保護する格子状の枠を正面から見た図である。
【図３】上述の図２を上から見た図である。
【図４】上述の図２がガラス扉に固定したのを、上から見た切断面の図である。
【符号の説明】
【０００９】１  食器棚本体
２  ガラス扉
３  本考案の格子状の枠
４  格子状の枠から伸び縮みする棒
５  Ｌ字型の金具
６  Ｌ字型の金具の内側に付いている接着面
７  伸び縮みする棒を収納している枠
８  食器棚のガラス扉の木枠
９  食器棚のガラス扉のガラス
【図１】
2007120292.tif 000003
【図２】
2007120292.tif 000004
【図３】
2007120292.tif 000005
【図４】
2007120292.tif 000006